(57)【要約】【課題】リフォーム等置いて壁の内装を簡単かつ適確に実施する。【解決手段】内装壁パネル２０は所定の広さに分割して形成され、その表面には内装仕上げ材２０６が施されている。裏面側にはその四隅に突出して受け部材３０，３２，３４の突起３０２が嵌入される嵌挿孔３０６が設けられた取付駒３０８が形成されている。これにより、１〜４個の突起３０２が形成された受け部材３０，３２，３４を壁１０に取り付け、これらに内装壁パネル２０，２０，．．．を押し込んでいくことにより、壁１０の内装を簡単に行うことができ、また、好みに応じて交換させることができる。その際、壁１０と内装壁パネル２０との間に適度な隙間が形成され、コンクリート壁１０にも適したものとなっている。【選択図】図１
2005036573.tif 000002
【特許請求の範囲】
【請求項１】
建物の内壁部に、内装壁パネルを着脱自在に取り付ける内装壁パネルの取付構造であって、
前記内装壁パネルは、前記壁部の内装される部分の広さに相当する広さのパネル基材が所定の広さ毎に分割して形成され、かつ、それぞれのパネル基材の表面に内装仕上げ材が設けられ、さらに裏面の少なくとも四隅に第１嵌挿片が形成された取付部が設けられ、
前記建物の壁部には、前記内装壁パネルの第１嵌挿片に雌雄嵌合状でありさらに挿脱自在に嵌挿する第２嵌挿片を有する受け部材が設けられ、
第１、第２嵌挿片を挿脱自在に嵌挿しつつ前記内装壁パネルを着脱自在に建物の壁部に取り付けることにより前記建物の壁部を内装することを特徴とする内装壁パネルの取付構造。
【請求項２】
第１嵌挿片は嵌挿孔を含む取付駒であり、第２嵌挿片は該嵌挿孔に嵌入する突起である請求項１記載の内装壁パネルの取付構造。
【請求項３】
請求項１または２記載の内装壁パネルの取付構造において、前記建物の壁部は、コンクリート壁であり、前記受け部材は、前記コンクリート壁にその凹凸に応じて高さ調整自在な高さ調整付ねじを含むことを特徴とする内装壁パネルの取付構造。
【請求項４】
請求項１ないし請求項３のいずれかに記載の内装壁パネルの取付構造において、前記受け部材は、前記壁部端部において上下または左右の前記壁パネルの端部の嵌挿孔が嵌入される２個の突起を有し、または前記壁部中部において四方の前記壁パネルの端部が嵌入される４個の突起を有する部材がそれぞれ一体に形成されていることを特徴とする内装壁パネルの取付構造。
【請求項５】
請求項１ないし請求項４のいずれかに記載の内装壁パネルの取付構造において、該取付構造は、さらに、前記内装壁パネルの上端部付近に、先端にリング部材が取り付けられた紐状部材が設けられ、前記建物の壁部に、それぞれ前記内装壁パネルが取り付けられる位置に前記リング部材が係止される係止部材が設けられることを特徴とする内装壁パネルの取付構造。
【発明の詳細な説明】
【技術分野】
【０００１】
本発明は、内装壁パネルの取付構造に係り、特に、たとえばコンクリート壁の内装に用いて好適な内装壁パネルの取付構造に関するものである。
【背景技術】
【０００２】
たとえば、住宅等のリフォームを実施する際に、壁などに施工された内装部材を自在に取り替えることが望まれている。また、既存の打ち放しのコンクリート壁などにも後に内装を施工して、その見栄えを良好にしたいという要望があった。
【０００３】
従来の内装類の取付構造としては、たとえば特許文献１または特許文献２に記載のものが提案されている。たとえば、特許文献１では、壁下地材に、表面内装を施したボードを積層するものであって、壁下地材とボードの接合面間に着脱自在な係嵌手段を配設したものであった。係嵌手段としては、たとえばマジックテープあるいは嵌合係止部品などのボードの端部に沿って多数配列されたものが適用されていた。これにより、壁下地材にボードを係嵌手段を介してワンタッチに取り付け、取り外し自在として、リフォームを容易にしたものであった。
【０００４】
また、特許文献２では、床または天井などの下地材に所定配列した貫通孔による取付け部を多数形成し、それらの仕上げ面材に、取付け部に係合可能な突起状の係合部を設けたものであった。これにより、接着剤等を用いた湿式施工によらず、仕上げ面材を下地材に取り付け可能として、かつ任意に着脱自在として改装等の場合の自由度を向上させたものであった。
【特許文献１】特開平７−３９８１号公報
【特許文献２】特開平５−１０６３２３号公報
【発明の開示】
【発明が解決しようとする課題】
【０００５】
しかしながら、上述した従来の技術では、下地材と仕上げ材との間に多くの接合部位が必要であり、それらの施工が面倒であるという欠点があった。たとえば前者の特許文献１では、マジックテープまたは係嵌部品のように多くの雄部位と雌部位が配列されて、いずれの箇所においても接合可能となっているので、施工時にずれが生じ易く、その位置合わせが面倒であった。後者の特許文献２の場合も同様に、下地材の多数の取付け部とこれらに係合する仕上げ材の多数の係合部との位置合わせが必要であった。また、それらを備えた部材の製作が面倒であるという問題があった。さらに、両者の文献ともに、下地材を必要とすることによりコンクリート壁への適用に向いていないという欠点があった。たとえば、前者の特許文献１では、下地材と仕上げ材(ボード）とが係嵌手段を介して密着して接合される構成であるので、下地材をコンクリート内壁として見た場合、それらの間に空気層または断熱層がなく、適用が困難であった。この場合、下地材をコンクリート壁に取り付ける新たな取付構造が必要となるなどの問題があった。同様に、後者の文献でも、下地材と仕上げ材との間に隙間がなく、コンクリート壁に直接仕上げ材を取り付けることは困難であった。この場合、コンクリート壁に適用する際には、文献に記載のように、床下地材が支持ざれる井桁状に形成された床支持部材のような他の構造の部材が必要となるなど問題があった。
【０００６】
本発明は、上記従来の課題に鑑みてなされたものであり、仕上げ材のずれがなく、簡単に施工することができ、かつコンクリート壁に適用可能な内装壁パネルの取付構造を提供することを目的とする。
【課題を解決するための手段】
【０００７】
本発明による内装壁パネルの取付構造は、上記課題を解決するために、建物の内壁部に内装壁パネルを着脱自在に内装する内装壁パネルの取付構造であって、その内装壁パネル（２０）は、内装される壁部の広さに相当する広さのパネル基材（２０２）が所定の広さ毎に分割して形成され、かつ、それぞれのパネル基材の表面に内装仕上げ材（２０４）が設けられ、さらに、裏面の少なくとも四隅に第１嵌挿片（２０６）が形成された取付部（２０８）が設けられ、建物の壁部には、内装壁パネルの第１嵌挿片に雌雄嵌合状でありさらに挿脱自在に嵌挿する第２嵌挿片を有する受け部材（３０，３２，３４，．．．）が設けられ、第１、第２嵌挿片を挿脱自在に嵌挿しつつ前記内装壁パネルを着脱自在に建物の壁部に取り付けることにより前記建物の壁部を内装することを特徴とする。これにより、内装壁パネルの四隅の取付部に、建物の壁部に設けられた受け部材が嵌挿して有効に配列され、その取り付け、取り外しを適確に行ない得る。また、内装壁パネルが受け部材の第２嵌挿片により四隅が支持されて、パネル裏面と壁部との間に有効な空間を形成して空気層または断熱材を装填して有効な断熱層が形成される。なお、パネル基材は１つの壁や室の全部あるいは一部に取り付けても良い。第１、第２嵌挿片はいずれかが雄側で他方側が雌側となるが、パネル基材側を雄とし、壁側の受け部材側に雌の嵌挿片を設けても良い。
【０００８】
その際、第１嵌挿片は嵌挿孔を含む取付駒であり、第２嵌挿片は該嵌挿孔に嵌入する突起として構成すると具体的にパネル基材の壁部への取付を実現し得る。
【０００９】
この場合、建物の壁部は、コンクリート壁（１０）であり、受け部材は、コンクリート壁に、その凹凸に応じて高さ調整自在な高さ調整付ねじ（３０６）を含むことにより、多少の段差のあるコンクリート壁においても内装壁パネルを面一に施工される。
【００１０】
また、受け部材３０、３２、３４は、壁部上端部または側端部において上下または左右の壁パネルの端部が嵌入される２個の突起３０２を有し、または壁部中部において四方の壁パネルの端部が嵌入される４個の突起３０２を有する部材がそれぞれ一体に形成されていることにより、それぞれの受け部材を壁部の所定の位置に配置して、内装壁パネル２０が有効に配列される。
【００１１】
本発明による内装壁パネルの取付構造は、さらに、内装壁パネルの上端部付近に、先端にリング部材２１０が取り付けられた紐状部材２１２が設けられ、建物の壁部に、それぞれ内装壁パネルが取り付けられる位置にリング部材が係止される係止部材２１４が設けられることにより、地震等の揺れに対しても内装壁パネルの脱落が防止される。
【発明の効果】
【００１２】
本発明の内装壁パネルの取付構造によれば、建物の内壁部を内装壁パネルにより着脱自在に内装する内装壁パネルの取付構造であって、その内装壁パネルは、内装される壁部の広さに相当する広さのパネル基材が所定の広さ毎に分割して形成され、かつ、それぞれのパネル基材の表面に内装仕上げ材が設けられ、さらに裏面の少なくとも四隅に第１嵌挿片
が形成された取付部が設けられ、建物の壁部には、内装壁パネルの第１嵌挿片に雌雄嵌合状でありさらに挿脱自在に嵌挿する第２嵌挿片を有する受け部材が設けられ、第１、第２嵌挿片を挿脱自在に嵌挿しつつ前記内装壁パネルを着脱自在に建物の壁部に取り付けることにより前記建物の壁部を内装するので、リフォーム時等に内装壁パネルを所望のものに簡単に取り替えることができるという効果を奏する。また、壁部と内装パネルとの間に所定の隙間が形成されて、空気層が形成され、または断熱材を装填することにより，有効な断熱層が形成されてコンクリート壁に有効に適用することができるという効果を奏する。
【００１３】
本発明の請求項２に係る内装壁パネルの取付構造によれば、第１嵌挿片は嵌挿孔であり、第２嵌挿片は該嵌挿孔に嵌入する突起であるから、内装壁パネルの建物の壁部に対する挿脱自在構成を具体的に実現し得る。
【００１４】
本発明の請求項３に係る内装壁パネルの取付構造によれば、建物の部壁は、コンクリート壁であり、受け部材は、コンクリート壁に、その凹凸に応じて高さ調整自在な高さ調整付ねじにより取り付けられるので、多少の段差のあるコンクリート壁においても内装壁パネルを面一に内装することができる。したがって、見栄えのよい内装を簡単に実現することができるという効果を奏する。
【００１５】
本発明の請求項４に係る内装壁パネルの取付構造によれば、受け部材は、壁部端部において上下または左右の壁パネルの端部が嵌入される２個の突起を有し、または壁部中部において四方の壁パネルの端部が嵌入される４個の突起を有する部材がそれぞれ一体に形成されているので、それぞれの受け部材を壁部の所定の位置に配置して、内装壁パネルの位置決めを容易にして有効に配列することができる。したがって、リフォーム等における内装壁パネルの取り替えを短時間に実施することができるなどの効果を奏する。
【００１６】
本発明の請求項５に係る内装壁パネルの取付構造によれば、さらに、内装壁パネルの上端部付近に、先端にリング部材が取り付けられた紐状部材が設けられ、建物の壁部に、それぞれ内装壁パネルが取り付けられる位置にリング部材が係止される係止部材が設けられることにより、地震等の揺れに対しても内装壁パネルの脱落を防止することができるなどの効果を奏する。
【発明を実施するための最良の形態】
【００１７】
次に添付図面を参照して本発明による内装壁パネルの取付構造の実施の形態を詳細に説明する。図１には、本発明による内装壁パネルの取付構造の一実施形態が示されている。本実施形態による内装壁パネルの取付構造は、たとえば、コンクリート壁に施工される内装構造であって、本実施形態では、図１に示すように、コンクリート壁１０に、複数の受け部材３０，３２，３４．．．が所定の間隔をおいて取り付けられ、それぞれの受け部材３０，３２，３４．．．に、内装壁パネル２０，２０．．．が着脱自在に取り付けられている。特に、本実施形態では、内装仕上げが施された内装壁パネル２０，２０，．．．が所定の大きさに分割されて形成され、それぞれコンクリート壁１０との間に所定の空間を形成して着脱自在に取り付けられている点が主な特徴点である。
【００１８】
各部の詳細を説明すると、本実施形態の内装壁パネル２０，２０，．．．は、それぞれ図２に示すように、パネル基材２０２に、クロス等の内装仕上げ材２０４が貼付されている。パネル基材２０２は、所定の規格、たとえば１８００×９００mmのパネルを半分割した９００×９００mmの大きさ、つまり半畳分に相当する略正方形状に形成されており、たとえば、強化プラスチックあるいは金属製のものが適用されている。有利には、図２および図３に示すように、矩形状または円形状の複数の切り欠きが形成されて、軽量化が図られている。その裏面側には、図３に示すように、四隅に、受け部材３０，３２，３４．．．が嵌入する嵌挿孔２０６が形成された取付駒２０８,２０８，．．．がパネル基材と一体に、または固定して設けられている。この取付駒２０８が内装壁パネル２０の受け部材３０への取付部を構成する。嵌挿孔２０６が形成された取付駒２０８,２０８は第１嵌挿片を構成する。
第１嵌挿片は、建物の壁部側に設けられた受け部材の第２嵌挿片とともに挿脱自在に嵌合して内装壁パネルを直接的に壁部に連結させる連結手段である。さらに、本実施形態では、上端部中央付近に、先端部に係止リング２１０が取り付けられた紐状部材２１２が設けられている。係止リング２１０は、コンクリート壁１０にそれぞれ取り付けられたフック状の係止部材２１４に係止されて、脱落防止手段を形成している。なお、パネル基材２０２は任意の大きさとしてもよく、壁部に取り付けられる受け部材を設置して、例えば１８００mm×９００mm、あるいは１８００mm×１８００mmさらには任意に設定したサイズで構成しても良い。
【００１９】
図１に戻って、受け部材３０，３２，３４，．．．は、内装壁パネル２０の嵌挿孔２０６に嵌入する円筒状の突起３０２が１個設けられた第１の受け部材３０と、２個設けられた第２の受け部材３２と、４個設けられた第３の受け部材３４とを含む。それぞれの突起３０２は第１嵌挿片に雌雄嵌合状でありさらに挿脱自在に嵌挿する第２嵌挿片を構成する。そして、第１の受け部材３０は、壁部１０における内装部分の四隅に取り付けられる部材である。第２の受け部材３２は、内装する部分の上端部または側端部に所定の間隔をおいて取り付けられる部材であって、本実施形態では、左右または上下の内装壁パネル２０，２０の双方の嵌挿孔２０６,２０６に嵌入する部材である。第３の受け部材３４は、内装する部分の中部に所定の間隔をおいて取り付けられる部材であって、四方からの内装壁パネル３０,３０，．．．の嵌挿孔２０６，２０６，．．．に嵌入する部材である。これら受け部材３０，３２，３４は、それぞれ平板部材３０４にそれぞれの突起３０２，３０２，．．．が鋳物などにより一体に形成されている。さらに、本実施形態では、図４および図５に示すように、平板部材３０４の四隅には、高さ調整付ねじ３０６，３０６，．．．が設けられ、それらの間がコンクリート用釘３０８，３０８，．．．により取り付けられる。
【００２０】
以上のような構成において、たとえば、打ち放しのコンクリート壁に施工する場合、まず、受け部材３０，３２，３４，．．．をコンクリート壁１０に取り付ける。たとえば、第１の受け部材３０，３０，．．．をコンクリート壁１０の施工部分の四隅に取り付ける。次に、取り付けた第１の受け部材３０，３０に沿って所定の間隔をおいて第２の受け部材３２，３２，．．．を取り付ける。次いで、第３の受け部材３４，３４，．．．を取り付けた第２の受け部材３２，３２，．．．の間に所定の間隔をおいて取り付ける。その際、それぞれの受け部材３０，３２，３４，．．．は、コンクリート壁１０の凹凸に応じて高さ調整付きネジ３０６，３０６，．．．を調整して、平板部材３０４，３０４，．．．の高さが揃うようにする。高さが揃うと、固定釘３０８，３０８によりそれぞれの受け部材３０，３２，３４，．．．を固定する。
【００２１】
次に、それぞれの受け部材３０，３２，３４，．．．の間に、係止部材２１４，２１４，．．．を取り付ける。係止部材２１４を取り付けると、図６に示すように、内装壁パネル２０を壁の下方側から順次受け部材３０,３２，３４，．．．に略水平方向から押圧するように取り付けていく。これにより、内装壁パネル２０の嵌挿孔２０６に受け部材３０，３２，３４，．．．の円筒状突起３０２，３０２，．．．が嵌入されて固定される。次に、図７に示すように、内装壁パネル２０の上端部に設けられた係止リング２１０を壁１０に取り付けられた係止部材２１４に掛ける。これにより、衝撃等により受け部材３０，３２，３４、．．．から内装壁パネル２０が外れた場合に、内装壁パネル２０の脱落を防止することができる。１段目の内装壁パネル２０，２０，．．．を取り付けると、上記と同様に、２段目の内装壁パネル２０，２０,．．．を押し込んで固定し、脱落防止用のフックを掛ける。以下同様に、３段目、４段目と順次上方側の内装壁パネル２０,２０，．．．を取り付けていく。この結果、図８に示すようにコンクリート壁１０の内装を施工することができる。なお、内装壁パネルの受け部材に対する取付順序は実施形態のように下部側から上部側に取付移動するだけでなく、上部から下部側あるいは左右側等、任意の順序で取付装着してもよい。
【００２２】
以上説明したように本実施形態の内装壁パネルの取付構造によれば、内装仕上げ材２０４が施された内装壁パネル２０,２０，．．．が所定の広さ毎に分割して形成され、その裏面側の四隅に嵌挿孔２０６が形成された取付部（取付駒）２０８が設けられて、コンクリート壁１０に取り付けられた受け部材３０，３２，３４，．．．にその突起３０２に着脱自在に内装壁パネル２０，２０，．．．を嵌挿してコンクリート壁１０を内装するようにしたので、コンクリート壁１０の内装を簡単に実行することができる。この際、コンクリート壁１０と内装パネル２０との間に所定の隙間が形成されて、空気層が形成され、またはその隙間に断熱材を装填してもよく、コンクリート壁１０の内装を有効に実現することができる。また、リフォーム時等に内装壁パネル２０，２０，．．．を所望のものに簡単に取り替えることができる。
【００２３】
また、受け部材３２，３４が２個または４個の突起を有するように複数の突起を一体に形成したので、その位置決めを行なうのみで、上下左右の内装壁パネル２０，２０，．．．の位置調整をすることなく簡単に配列することができる。したがって、リフォーム等における内装壁パネルの取り替えを短時間に実施することができる。さらに、受け部材３０，３２，３４，．．．が高さ調整付ねじにより取り付けられるので、多少の段差のあるコンクリート壁１０においても内装壁パネル２０，２０，．．．を面一に内装することができる。したがって、見栄えのよい内装を簡単に実現することができる。また、内装壁パネル３０の上端部付近に、先端に係止リング２１０が取り付けられた紐状部材２１２が設けられ、コンクリート壁１０に、それぞれ内装壁パネル２０が取り付けられる位置に係止リング２１０が係止される係止部材２１４が取り付けられて、これらをフックすることにより、地震等の揺れに対しても内装壁パネル２０の脱落を防止して、安全性を高めることができる。
【産業上の利用可能性】
【００２４】
以上、本実施形態について説明したが、本発明は上記実施形態に限定されるものでなく、例えば、種々の変更、改良、組合せが可能なことは当業者に自明であろう。たとえば、上記実施形態では、コンクリート壁１０の内装に適用した場合を例に挙げて説明したが、本発明では、木造等においてももちろん適用することができる。
【図面の簡単な説明】
【００２５】
【図１】本発明による内装壁パネルの取付構造の一実施形態を示す一部分解斜視図である。
【図２】図１の実施形態による内装壁パネルの取付構造に適用される内装壁パネルの一例を示す一部切欠斜視図である。
【図３】図１の実施形態による内装壁パネルの取付構造に適用される内装壁パネルの裏面およびその受け部材を示す斜視図である。
【図４】図１の実施形態による内装壁パネルの取付構造に適用される受け部材の取付状態を示す側断面図である。
【図５】図１の実施形態による内装壁パネルの取付構造が適用される受け部材の一例を示す平面図である。
【図６】図１の実施形態による内装壁パネルの取付構造に適用される落下防止手段の取付状態を示す側断面図である。
【図７】図１の実施形態による内装壁パネルの取付構造における内装壁パネルの取付状態を示す側断面図である。
【図８】図１の実施形態による内装壁パネルの取付構造における内装壁パネルの取付状態を示す一部切欠正面図である。
【符号の説明】
【００２６】
１０  コンクリート壁
２０  内装壁パネル
３０，３２,３４  受け部材
２０２  パネル基材
２０４  内装仕上げ材
２０６  嵌挿孔
２０８  取付駒
２１０，２１２，２１４  脱落防止手段
３０２  突起
３０６  高さ調整付きネジ
【図１】
2005036573.tif 000003
【図２】
2005036573.tif 000004
【図３】
2005036573.tif 000005
【図４】
2005036573.tif 000006
【図５】
2005036573.tif 000007
【図６】
2005036573.tif 000008
【図７】
2005036573.tif 000009
【図８】
2005036573.tif 000010